(57)【要約】【課題】希望波に対して所定周波数オフセットされた妨害波を含むテレビ放送信号をから妨害波を除去するオフセットビートキャンセラにおいて、出荷時に面倒な設定をすることなく、適切に妨害波を除去できるようにする。【解決手段】映像信号および搬送波を各信号の位相を９０度ずらして混合し生成されたＱ信号からＩ信号に含まれる妨害波信号成分を形成するビート成分生成部６４を、回路の変更可能なＦＰＧＡ５５にて構成し、オフセット周波数偏差に応じてＦＰＧＡ５５の回路を変更するための複数のプログラムをメモリ５３ａ、ｂに格納し、オフセット周波数偏差に応じて、ＦＰＧＡ５５が、ビート成分生成部６４に適切な回路を形成可能に構成する。この結果、オフセットビートキャンセラの出荷時に面倒な設定をする手間を省くことができ、使用する地域を、オフセット周波数偏差が異なる地域に変更する場合であっても、その都度対応することができる。【選択図】  図４
2004363720.tif 000002
【特許請求の範囲】
【請求項１】
希望波に対して送信周波数が所定周波数オフセットされた妨害波を含む映像信号、および該映像信号の搬送波、を同相で混合し生成されたＩ信号と、前記映像信号および前記搬送波を各信号の位相を９０度ずらして混合し生成されたＱ信号と、から前記妨害波を除去した映像信号を生成するオフセットビートキャンセラにおいて、
前記Ｑ信号をデジタル処理することにより、前記Ｉ信号に含まれる妨害波信号成分を生成する、ＦＰＧＡからなる妨害波生成手段と、
該妨害波生成手段により生成された妨害波信号成分を前記Ｉ信号から除去する妨害波除去手段と、
前記妨害波生成手段が有する妨害波信号成分を生成するための回路を、前記希望波と前記妨害波とのオフセット周波数偏差に応じて形成するための複数のプログラムを格納した記憶手段と、
外部から前記妨害波生成手段内の回路の変更指令を受けると、前記オフセット周波数偏差に応じて、前記妨害波生成手段を起動または再起動させ、前記妨害波生成手段に前記プログラムを読み出させることにより、前記妨害波生成手段内の回路を変更させる回路変更手段と、
を備えたことを特徴とするオフセットビートキャンセラ。
【請求項２】
前記記憶手段は、前記オフセット周波数偏差に対応したプログラムを個々に格納した複数の記憶媒体からなり、
前記回路変更手段は、前記妨害波生成手段の回路を変更させる際に、前記複数の記憶媒体から１つの記憶媒体を選択し、該選択した記憶媒体に格納されたプログラムを前記妨害波生成手段に読み出させること
を特徴とする請求項１に記載のオフセットビートキャンセラ。
【請求項３】
前記回路変更手段は、前記妨害波生成手段内の回路を変更させる際に、予め設定された希望波および妨害波の周波数の大小関係に応じて、前記妨害波除去手段に、前記妨害波生成手段により生成された妨害波信号成分と前記妨害波信号成分を含むＩ信号とを加算させるか、前記妨害波信号成分を含むＩ信号から、前記妨害波生成手段により生成された妨害波信号成分を減算させるかを選択し、この選択結果に基づいて前記妨害波除去手段内の回路を変更させることを特徴とする請求項１または請求項２に記載のオフセットビートキャンセラ。
【請求項４】
前記妨害波除去手段は、前記妨害波生成手段と共に、ＦＰＧＡ内にて構成されていることを特徴とする請求項１〜請求項３の何れかに記載のオフセットビートキャンセラ。
【請求項５】
受信アンテナから入力される受信信号の中から、希望波に対して送信周波数が所定周波数オフセットされた妨害波を含む所定放送チャンネルのテレビ放送信号を選局して、該テレビ放送信号の映像中間周波信号を出力する選局手段と、
該選局手段から出力される映像中間周波信号を直交検波し、前記Ｉ信号および前記Ｑ信号を出力する信号生成手段と、
を更に備えたことを特徴とする請求項１〜請求項４の何れかに記載のオフセットビートキャンセラ。
【請求項６】
前記選局手段は、前記映像中間周波信号に加えて、音声信号を出力し、
当該オフセットビートキャンセラは、前記妨害波除去手段により妨害波信号成分を除去した映像信号と、前記音声信号とを出力すること
を特徴とする請求項５に記載のオフセットビートキャンセラ。
【請求項７】
前記選局手段は、前記映像中間周波信号に加えて、音声中間周波信号を出力し、
当該オフセットビートキャンセラには、前記妨害波除去手段にて生成された映像中間周波信号と、前記選局手段から出力される音声中間周波信号とに基づき、所定放送チャンネルのテレビ放送信号を生成するテレビ放送信号生成手段を更に備えたこと
を特徴とする請求項５に記載のオフセットビートキャンセラ。
【請求項８】
複数のチャンネルのテレビ放送信号に対する希望波の周波数、前記オフセット周波数偏差、並びに、前記希望波および前記妨害波の周波数の大小関係を格納した第２記憶手段と、
外部からチャンネル設定指令を受けると、前記第２記憶手段に格納された希望波の周波数に基づいて、前記選局手段が選局するテレビ放送信号を選局させる制御手段と、
を更に備え、
前記回路変更手段は、該回路変更手段が前記妨害波生成手段を起動または再起動させる際には、前記第２記憶手段に記憶されたオフセット周波数偏差、並びに、前記希望波および前記妨害波の周波数の大小関係に基づいて、前記妨害波生成手段内の回路を変更させること
を特徴とする請求項５〜請求項７の何れかに記載のオフセットビートキャンセラ。
【発明の詳細な説明】
【０００１】
【発明の属する技術分野】
本発明は、妨害波を除いたテレビ放送信号を生成するオフセットビートキャンセラに関する。
【０００２】
【従来の技術】
従来より、近接する地域で同一の放送チャンネルを利用したテレビ放送を行う際には、各テレビ放送信号の送信周波数に±１０．０１ｋＨｚのオフセットを設けて、テレビ受像器で映像信号を再生した際に画面に現れる縞模様（ビート）を目立たなくするようにしている。しかし、妨害波の量が多ければビートも顕著に現れることになり、その一方で、聴視者からはよりよい画質の要求がある。
【０００３】
そこで、近年では、こうしたビート障害を防止するために、ビート障害が発生する放送チャンネルのテレビ放送信号を所定周波数帯に周波数変換した映像中間周波信号（以下、映像ＩＦ信号ともいう）から、希望波の映像搬送波を再生し、この映像搬送波を用いて映像ＩＦ信号を直交検波することにより、妨害波信号成分を含むＱ信号を生成し、更に、アナログフィルタを用いて、その生成したＱ信号から妨害波信号成分を生成して、この妨害波信号成分を映像ＩＦ信号から除去するオフセットビートキャンセラが提案されている（例えば、特許文献１、特許文献２参照）。
【０００４】
このオフセットビートキャンセラでは、希望波と妨害波との周波数の差であるオフセット周波数偏差（１０．０１ｋＨｚ、または２０．０２ｋＨｚ）によって、妨害波の除去に使用する回路を変更する必要がある。このため、このオフセットビートキャンセラを使用する地域が決定された時点で、その地域のオフセット周波数偏差に対応したプログラムをインストールし、このプログラムに基づいてＡＳＩＣ（Ａｐｐｌｉｃａｔｉｏｎ  Ｓｐｅｃｉｆｉｃ  ＩｎｔｅｇｒａｔｅｄＣｉｒｃｕｌｔ）内の回路を形成することにより、地域によって異なるオフセット周波数偏差に対応していた。
【０００５】
【特許文献１】
特開平８−９８０６１号公報
【特許文献２】
特開平９−５５６７１号公報
【０００６】
【発明が解決しようとする課題】
しかしながら、上記提案のオフセットビートキャンセラでは、１度回路を形成すると、ＡＳＩＣ内の回路の書き換えを行うことはできないので、使用する地域が確定してからＡＳＩＣ内の回路の形成を行う必要があり、この際、専用治具およびパソコンが必要であるため、手間が掛かり面倒であった。
【０００７】
そこで、このような問題点を鑑み、希望波に対して所定周波数オフセットされた妨害波を含むテレビ放送信号をから妨害波を除去するオフセットビートキャンセラにおいて、出荷時に面倒な設定をすることなく、適切に妨害波を除去できるようにすることを本発明の目的とする。
【０００８】
【課題を解決するための手段および発明の効果】
かかる目的を達成するために成された、請求項１に記載のオフセットビートキャンセラは、回路変更手段が、外部から妨害波生成手段内の回路の変更指令を受けると、オフセット周波数偏差に応じて、Ｑ信号をデジタル処理することによりＩ信号に含まれる妨害波信号成分を生成する、ＦＰＧＡ（Ｆｉｅｌｄ  Ｐｒｇｒａｍｍａｂｌｅ  Ｇａｔｅ  Ａｒｒａｙ）からなる妨害波生成手段を起動または再起動させ、その際、妨害波生成手段に記憶手段に格納されたプログラムを読み出させることにより、妨害波生成手段内の回路を変更させる。
【０００９】
つまり、映像信号にオフセットビート障害が発生している場合には、妨害波生成手段に妨害波信号成分を生成させ、妨害波除去手段により妨害波信号成分を除去すればよいが、希望波および妨害波の周波数の差であるオフセット周波数偏差には複数種類の周波数が存在し、受信しようとする映像信号のオフセット周波数偏差に応じて妨害波生成手段内の回路が異なるため、妨害波生成手段内を回路の変更可能なＦＰＧＡにて構成し、記憶手段には、オフセット周波数偏差に応じてＦＰＧＡの回路を変更するための複数のプログラムを格納しているのである。
【００１０】
本発明（請求項１）のようなオフセットビートキャンセラであれば、オフセット周波数偏差に応じて妨害波生成手段に適切な回路を形成することができるので、このオフセットビートキャンセラの出荷時に面倒な設定をする手間を省くことができる。また、このオフセットビートキャンセラを使用する地域を、オフセット周波数偏差が異なる地域に変更する場合であっても、その都度対応することができる。
【００１１】
ところで、オフセット周波数偏差に対応したプログラムを格納した記憶手段は、例えば、１つの記憶媒体からなり、この１つの記憶媒体の中に全てのオフセット周波数偏差に対応したプログラムを格納していてもよいが、請求項２に記載のように、記憶手段は複数の記憶媒体からなり、回路変更手段は、妨害波生成手段の回路を変更させる際に、複数の記憶媒体から１つの記憶媒体を選択し、この記憶媒体に格納されたプログラムを妨害波生成手段に読み出させることが望ましい。
【００１２】
このようにすれば、妨害波生成手段が読み出すプログラムを妨害波生成手段に選択させる必要がなくなるので、妨害波生成手段の構成を簡単にすることができる。
また、請求項３に記載のように、回路変更手段は、予め設定された希望波および妨害波の周波数の大小関係に応じて、妨害波除去手段に、妨害波信号成分を含むＩ信号から妨害波生成手段により生成された妨害波信号成分を減算させるか、加算させるかを選択し、この選択結果に基づいて妨害波除去手段内の回路を変更させることが望ましい。
【００１３】
つまり、オフセット周波数偏差の絶対値（以下、「オフセット周波数偏差の絶対値」を単に「オフセット周波数偏差」という。）が同じ場合であっても、希望波および妨害波の周波数の大小関係に応じて、妨害波生成手段内の回路が異なるため、例えば、オフセット周波数偏差の種類が２種類あれば、記憶手段に格納するプログラムは、４種類（オフセット周波数偏差の種類の倍）必要である。ところが、オフセット周波数偏差の絶対値が同一であって、その正負のみが異なる場合に、同一の妨害波生成手段内の回路を使用すると、極性のみが異なる妨害波信号成分が得られる。
【００１４】
このため本発明では、上述の特性を利用するものであり、回路変更手段は、希望波および妨害波の周波数の大小関係に応じて、妨害波信号成分を、妨害波を含むＩ信号から減算するか、加算するかを決定するのである。
このようにすれば、記憶手段に格納するプログラムの数を半分にすることができるので、記憶手段の構成を簡単にすることができる。
【００１５】
また、妨害波除去手段は、請求項４に記載のように、妨害波生成手段と共に、ＦＰＧＡ内にて構成されていることが好ましい。
つまり、妨害波除去手段は、アナログ処理により妨害波を除去してもよいが、本発明（請求項４）のように、ＦＰＧＡ内に構成することでデジタル処理により妨害波を除去するようにしているのである。
【００１６】
このようにすれば、周囲の環境（気温等）の影響を受け難くすることができるので、より正確に妨害波を除去することができる。
次に、請求項５に記載のオフセットビートキャンセラは、受信アンテナから入力される受信信号の中から、所定放送チャンネルのテレビ放送信号を選局して、映像中間周波数信号を出力する選局手段と、選局手段から出力される映像中間周波信号を直交検波し、Ｉ信号およびＱ信号を生成する信号生成手段とを更に備えている。
【００１７】
このようなオフセットビートキャンセラであれば、受信アンテナから入力される受信信号の中から、希望の放送チャンネルを選択して妨害波を除去することができる。
また、請求項５に記載のオフセットビートキャンセラにおいて、請求項６に記載のように、選局手段は、映像中間周波信号に加えて、音声信号を出力し、当該オフセットビートキャンセラは、妨害波除去手段により妨害波信号成分を除去した映像信号と、音声信号とを出力するようにしてもよいし、請求項７に記載のように、選局手段は、映像中間周波信号に加えて、音声中間周波信号を出力し、妨害波除去手段にて生成された映像中間周波信号と、音声中間周波信号とに基づき、所定放送チャンネルのテレビ放送信号を生成するテレビ放送信号生成手段を更に備えていてもよい。
【００１８】
請求項６に記載のようにすれば、本発明のオフセットビートキャンセラに加え、映像信号と音声信号とを再生可能な装置を備えるのみで、使用者はテレビ放送を視聴することができる。また、本発明（請求項６）のオフセットビートキャンセラであれば、テレビ受像機等の外部に設置できるのみならず、テレビ受像機等に内蔵して、チューナとして使用することができる。
【００１９】
また、請求項７に記載のようにすれば、１つのオフセットビートキャンセラを用いて、オフセットビートキャンセラから出力される、映像中間周波信号および音声中間周波信号を分配することにより、妨害波が除去されたテレビ放送信号を共同受信させることができる。
【００２０】
また、請求項５〜請求項７の何れかに記載のオフセットビートキャンセラにおいて、請求項８に記載のように、制御手段は、外部からの指令を受けると、第２記憶手段の記憶された希望波の周波数に基づいて、選局手段が選局するテレビ放送信号を選局させ、回路変更手段は、妨害波生成手段を起動または再起動させる際に、第２記憶手段に記憶されたオフセット周波数偏差、並びに、希望波および妨害波の周波数の大小関係に基づいて、妨害波生成手段内の回路を変更させることが好ましい。
【００２１】
このようにすれば、複数のチャンネルのオフセット周波数偏差が異なる場合であっても、使用者の操作等の外部からの指令に基づいて、使用者が受信を希望するテレビ放送電波に対して妨害波を除去することができる。
【００２２】
【発明の実施の形態】
以下に本発明の実施形態を図面と共に説明する。
〔実施例１〕
図１は本発明が適用された実施例１のテレビ放送受信システム全体の構成を示す概略構成図である。なお、本実施例のテレビ放送受信システムは日本国内用のものであり、以下に説明するＶＨＦ帯およびＵＨＦ帯のテレビ放送は、帯域幅が６ＭＨｚのＮＴＳＣ方式で行われるものとする。
【００２３】
図１に示す如く、本実施例のテレビ放送受信システムは、屋外に設置したアンテナからの受信信号を伝送線を介して建造物内の各部屋に伝送する共同受信システムであり、テレビ放送受信用の受信アンテナとして、地上局から送信されたＶＨＦ帯およびＵＨＦ帯の放送電波をそれぞれ受信するＶＨＦアンテナ２およびＵＨＦアンテナ４と、放送衛星（ＢＳ）や通信衛星（ＣＳ）からの送信電波を受信するＢＳ／ＣＳアンテナ６とを備える。
【００２４】
なお、ＢＳ／ＣＳアンテナ６は、反射鏡６ａと、支持腕を介して反射鏡６ａの焦点位置に配置された受信部６ｂとからなり、受信部６ｂに内蔵されたコンバータによって、受信信号をＢＳ／ＣＳ−ＩＦ信号に周波数変換（ダウンコンバート）して出力する。
【００２５】
そして、これら各受信アンテナ２〜６からの受信信号（ＶＨＦ受信信号、ＵＨＦ受信信号、ＢＳ／ＣＳ−ＩＦ信号）は、それぞれ、同軸ケーブルからなる伝送線を介して、ブースタ（増幅器）８まで伝送され、このブースタ８にて所定レベルまで増幅される。また、ブースタ８にて増幅された各受信信号（ＶＨＦ受信信号、ＵＨＦ受信信号、ＢＳ／ＣＳ−ＩＦ信号）は、ブースタ８内で混合されて、後段のオフセットビートキャンセラ２０ａに入力され、このオフセットビートキャンセラ２０ａから端末側の伝送線上に出力される。
【００２６】
また、端末側の伝送線には、分配器１０が接続されており、オフセットビートキャンセラ２０ａから出力された受信信号は、分配器１０にて複数系統（図では４系統）に分配され、更に、その分配された各系統の伝送線上に直列に接続された複数の直列ユニット１２を介して、各直列ユニット１２が設置された各部屋の受信端末１３まで伝送される。
【００２７】
次に、このオフセットビートキャンセラ２０ａの構成について、図２を用いて詳しく説明する。
図２に示すように、オフセットビートキャンセラ２０ａは、ブースタ８から出力された受信信号を伝送線（同軸ケーブル）を介して入力するための入力端子Ｔｉｎと、受信信号を出力するための出力端子Ｔｏｕｔとを備える。
【００２８】
そして、入力端子Ｔｉｎに入力された受信信号の内、ＢＳ／ＣＳ−ＩＦ信号は、この信号のみを選択的に通過させるハイパスフィルタ（以下、ハイパスフィルタをＨＰＦと記載する）２４を介して内部に取り込まれ、ビートキャンセラ２０内に形成されたＢＳ／ＣＳ−ＩＦ信号用の通過経路、および、出力端子Ｔｏｕｔ側に設けられたＨＰＦ２６を介して、出力端子Ｔｏｕｔまで伝送されて、出力端子Ｔｏｕｔから端末側に出力される。
【００２９】
また、入力端子Ｔｉｎに入力された受信信号の内、ＶＨＦ受信信号およびＵＨＦ受信信号は、ＶＨＦおよびＵＨＦ帯の受信信号のみを選択的に通過させるローパスフィルタ（以下、ローパスフィルタをＬＰＦと記載する）２２を介して内部に取り込まれ、分配回路２８にて２分配される。そして、この分配回路２８にて分配された一方の受信信号（ＶＨＦ・ＵＨＦ信号）は、ビートキャンセラ２０内に形成されたＶＨＦ・ＵＨＦ信号用の通過経路を介して、出力端子Ｔｏｕｔ側の混合回路４２まで伝送される。
【００３０】
一方、分配回路２８にて分配された他方の受信信号は、ＵＨＦ選局部３０（本発明でいう選局手段）に入力される。このＵＨＦ選局部３０は、制御部５０（本発明でいう回路変更手段、および制御手段）から選局チャンネル制御信号によって指定されたＵＨＦ帯で所定放送チャンネルのテレビ放送信号を選局して、映像搬送波が所定周波数（例えば、５８．７５ＭＨｚ）となる映像中間周波信号（映像ＩＦ信号）と、音声搬送波がＮＴＳＣ方式で規定された所定周波数（５．７５ＭＨｚ）となる音声中間周波信号（音声ＩＦ信号）とを出力する。
【００３１】
そして、ＵＨＦ選局部３０から出力された映像ＩＦ信号は、直交検波部３２（本発明でいう信号生成手段）に入力され、この直交検波部３２にて、映像ＩＦ信号に含まれる映像搬送波を用いて直交検波される。また、この直交検波部３２で直交検波されたＩ信号とＱ信号とは、それぞれ、ビートキャンセル用のデジタル処理部３４に入力され、デジタル処理部３４にて、妨害波信号成分を除去したベースバンドの映像信号に変換される。
【００３２】
そして、この映像信号と、ＵＨＦ選局部３０から出力された音声ＩＦ信号とは、それぞれ、ＵＨＦ変調部３６（本発明でいうテレビ放送信号生成手段）に入力され、このＵＨＦ変調部３６にて、制御部５０から出力チャンネル制御信号によって指定された所定放送チャンネル（出力チャンネル）のＵＨＦ帯のテレビ放送信号に変換される。
【００３３】
次に、このＵＨＦ変調部３６にて生成されたテレビ放送信号は、ＵＨＦ帯のテレビ放送信号のみを選択的に通過させるバンドパスフィルタ（以下、バンドパスフィルタをＢＰＦと記載する）３８を介して、ゲインコントロール（ＧＣ）用のボリュームＶＲを備えた増幅部４０に入力され、この増幅部４０にて所定レベルまで増幅された後、混合回路４２に入力される。
【００３４】
この結果、混合回路４２では、ＶＨＦ・ＵＨＦ信号用の通過経路を通過したＶＨＦ・ＵＨＦ信号とＵＨＦ変調部３６で生成された所定出力チャンネルのテレビ放送信号とが混合されることになる。
そして、この混合回路４２にて混合されたＶＨＦ・ＵＨＦ信号は、増幅回路４４にて所定レベルまで更に増幅された後、ＶＨＦおよびＵＨＦ帯の受信信号のみを選択的に通過させるＬＰＦ４６を介して、出力端子Ｔｏｕｔまで伝送され、出力端子Ｔｏｕｔから、ＢＳ／ＣＳ−ＩＦ信号と一緒に端末側に出力される。
【００３５】
次に、オフセットビートキャンセラ２０ａには、チャンネル設定部４８が設けられている。使用者がこのチャンネル設定部４８を操作し、設定すると、マイクロコンピュータにて構成された制御部５０は、チャンネル設定部４８の設定に基づいて、ＵＨＦ選局部３０の選局チャンネル、およびＵＨＦ変調部３６が生成するテレビ放送信号の放送チャンネル（出力チャンネル）を制御する。
【００３６】
更に、制御部５０には妨害波の周波数の情報の設定を行うディップスイッチ５７が接続されており、制御部５０は、電源が投入されたとき、およびディップスイッチ５７の設定が変更されたときに、そのときのディップスイッチ５７の設定に基づき、デジタル処理部３４に対して、妨害波の周波数の情報を含むリブート制御信号を送る。この結果、デジタル処理部３４内のＦＰＧＡ５５（ＦｉｅｌｄＰｒｇｒａｍｍａｂｌｅ  Ｇａｔｅ  Ａｒｒａｙ、図４参照）は初期化され、ＦＰＧＡ５５内の回路（特に、ビート成分生成部６４（図４参照）および妨害波除去部６６（図４参照））を形成することになる。
【００３７】
ここで、妨害波の周波数の情報とは、本実施例では、希望波が基準となる放送周波数に対してどれだけオフセットしているか（基準周波数偏差：−１０ｋＨｚ、０、＋１０ｋＨｚ）、希望波に対して妨害波がどれだけオフセットしているか（オフセット周波数偏差：１０ｋＨｚ、２０ｋＨｚ）、希望波と妨害波と比べてどちらの周波数が高いか（希望波および妨害波の周波数の大小関係）、の３項目を意味する。
【００３８】
つまり、テレビ放送信号には、基準となる放送周波数と、規準となる放送周波数に対して±１０．０１ｋＨｚオフセットした周波数との３種類の放送電波が使用されており、その３種類の放送電波の中から最も受信レベルが高い放送電波を希望波とするのであるが、何れの周波数の放送電波が希望波になるかは本装置を使用する地域により異なる。また、この希望波に対する妨害波が何れの周波数の放送電波になるのかについても本装置を使用する地域により異なる。
【００３９】
このため、基準周波数偏差、オフセット周波数偏差、希望波および妨害波の周波数の大小関係、の３項目についてディップスイッチ５７により設定するようにしているのである。
また、オフセットビートキャンセラ２０ａには、図示しないＤＣアダプタ等から例えば直流１５Ｖの直流電源を供給するための電源入力端子Ｔｄｃが設けられており、上述した各内部回路には、この電源入力端子Ｔｄｃに供給された直流電源から上述した内部回路を動作させるための各種電源電圧を生成する電源部５６を介して、動作用の電源電圧を供給するようにされている。
【００４０】
ところで、本実施例のオフセットビートキャンセラ２０ａにおいては、デジタル処理部３４において、直交検波部３２で得られたＱ信号をデジタル処理することによって、映像信号に含まれる妨害波信号成分を生成し、これをＩ信号から除去するようにしているので、妨害波信号成分をアナログフィルタを用いて生成する従来のオフセットビートキャンセラに比べて、周囲温度の影響を受けることなく妨害波信号成分を除去することができるようになるのであるが、直交検波部３２で映像ＩＦ信号を直交検波する際に用いられる搬送波の映像ＩＦ信号に対する位相が正規の位相からずれてしまうと、映像ＩＦ信号の直交検波を正確に行うことができず、最終的には、妨害波信号成分の除去特性が低下してしまうという問題がある。
【００４１】
そこで、本実施例のオフセットビートキャンセラ２０ａにおいては、直交検波部３２を図３に示す如く構成し、映像ＩＦ信号の直交検波を常時最適に実行できるようにしている。
即ち、図３に示すように、本実施例の直交検波部３２は、ＵＨＦ選局部３０から出力された映像ＩＦ信号を２分配する分配回路７０と、この分配回路７０にて分配された一方の映像ＩＦ信号を増幅する増幅回路７１と、増幅回路７１により増幅された映像ＩＦ信号を更に２分配する分配回路７２と、この分配回路７２にて分配された一方の映像ＩＦ信号の位相を９０度（π／２）移相させる移相器７４と、分配回路７２にて分配された他方の映像ＩＦ信号を移相器７４の動作時間分遅延させる遅延線７３と、遅延線７３および移相器７４をそれぞれ通過した映像ＩＦ信号と後述の搬送波再生部７７で再生された映像搬送波とをそれぞれ混合することにより一対のミキサ７５および７６と、を備える。
【００４２】
また、直交検波部３２には、初段の分配回路７０にて分配された他方の映像ＩＦ信号から映像搬送波を再生する搬送波再生部７７と、この搬送波再生部７７にて再生された映像搬送波を移相させる可変移相器７８と、この可変移相器７８を通過した映像搬送波を２分配して、上記各ミキサ７５、７６に出力する分配回路７９とが備えられている。
【００４３】
ここで、ミキサ７５、７６は、遅延線７３および移相器７４をそれぞれ通過した映像ＩＦ信号と分配回路７９から入力される映像搬送波とをそれぞれ混合することにより、映像ＩＦ信号を直交検波するためのものである。つまり、ミキサ７５は、遅延線７３を通過した映像ＩＦ信号とこれと同相の映像搬送波とを混合することによりＩ信号を生成し、ミキサ７６は、移相器７４を通過した映像ＩＦ信号とこれよりも９０度（π／２）移相が進んだ映像搬送波とを混合することによりＱ信号を生成する。
【００４４】
そして、これら各ミキサ７５、７６にて生成された同期検波後のＩ信号およびＱ信号は、それぞれ、その信号成分を選択的に通過させるＬＰＦ８１、８２を介して、増幅回路８３、８４に入力され、増幅回路８３、８４にて所定レベルまで増幅された後、デジタル処理部３４に出力される。
【００４５】
更に、直交検波部３２には、増幅回路８４から出力されるＱ信号を取り込み、そのＱ信号の電圧（詳しくは平均電圧）が略零となるように、可変移相器７８における映像搬送波の移相量を制御する位相調整部８０が備えられており、この位相調整部８０により、各ミキサ７５、７６に入力される映像搬送波の位相が調整される。
【００４６】
ここで、デジタル処理部３４と直交検波部３２とは、デジタル処理部３４において、Ｑ信号をデジタル処理することにより、Ｉ信号に含まれる妨害波信号成分を生成し、Ｉ信号からこの妨害波信号成分を除去する。
つまり、映像ＩＦ信号に含まれる希望波映像信号をＡ（ｔ）、その搬送波（映像搬送波）をｃｏｓ（ωｔ）とし、妨害波映像信号をＢ（ｔ）、その搬送波（映像搬送波）をｃｏｓ｛（ω＋δ）ｔ＋Φ｝とした場合、映像ＩＦ信号は、
映像ＩＦ信号＝Ａ（ｔ）ｃｏｓ（ωｔ）
＋Ｂ（ｔ）ｃｏｓ｛（ω＋δ）ｔ＋Φ｝
と記述でき、直交検波後のＩ信号およびＱ信号は、それぞれ、
Ｉ信号＝Ａ（ｔ）＋Ｂ（ｔ）ｃｏｓ（δｔ＋Φ）
Ｑ信号＝Ｂ（ｔ）ｓｉｎ（δｔ＋Φ）
となることから、デジタル処理部３４では、Ｑ信号をデジタル処理することにより、Ｉ信号に含まれる妨害波信号成分である「Ｂ（ｔ）ｃｏｓ（δｔ＋Φ）」を生成し、この妨害波信号成分をＩ信号から除去するのである。
【００４７】
具体的には、再生したテレビ画像からビートを除去するには、映像信号の低域成分（周波数：０〜数十ｋＨｚ）に関して妨害波信号成分を除去できれば充分であることから、デジタル処理部３４では、図４に示すように、まず、Ｑ信号をＡ／Ｄ変換部６０を介してデジタルデータとして取り込み、その取り込んだＱ信号を、ＬＰＦとして機能するフィルタ部６２にてフィルタ処理することにより、Ｑ信号の低域成分のみを抽出し、ビート成分生成部６４（本発明でいう妨害波生成手段）にて、その抽出したＱ信号の低域成分から、上記妨害波信号成分「Ｂ（ｔ）ｃｏｓ（δｔ＋Φ）」を生成する。
【００４８】
また、デジタル処理部３４では、Ｉ信号をＡ／Ｄ変換部６１を介してデジタルデータとして取り込み、その取り込んだＩ信号を、ＬＰＦとして機能するフィルタ部６３と、ＨＰＦとして機能するフィルタ部６７とを用いて、Ｉ信号の低域成分と高域成分とに分離する。
【００４９】
そして、ビート成分生成部６４から出力される妨害波信号成分は、ビート成分生成部６４の処理動作によって、各フィルタ部６３、６７を通過したＩ信号の低域成分および高域成分よりも遅れることから、フィルタ部６３、６７を通過したＩ信号の低域成分および高域成分を、ビート成分生成部６４で生成された妨害波信号成分と同期させるために、Ｉ信号の低域成分および高域成分を、それぞれ、遅延処理部６５、６８で遅延処理する。
【００５０】
そして、最後に、妨害波除去部６６（本発明でいう妨害波除去手段）にて、遅延処理後のＩ信号の低域成分からビート成分生成部６４で生成された妨害波信号成分を減算する減算処理を行い、更に、その減算処理後のＩ信号の低域成分と遅延処理後のＩ信号の高域成分とを加算処理部６９にて加算処理することにより、妨害波信号成分を除去した映像信号（詳しくは映像データ）を生成し、これをＤ／Ａ変換部６９ａにてアナログの映像信号に変換した後、ＢＰＦ３８に出力する。
【００５１】
従って、デジタル処理部３４からは、オフセットビート障害の原因となる妨害波信号成分を除去した映像信号が出力されることになり、しかも、デジタル処理部３４では、直交検波後のＩ信号およびＱ信号を一旦デジタルデータに変換してデジタル処理することにより、妨害波信号成分を除去した映像信号を生成することから、周囲温度の影響を受けることなく、妨害波信号成分を除去した映像信号を安定して生成することができる。
【００５２】
なお、上述したとおり、妨害波除去部６６は、減算処理を行う減算処理部として機能するが、制御部５０に接続されたディップスイッチ５７の設定によっては加算処理部として機能する。つまり、ビート成分生成部６４からは、希望波および妨害波の周波数の大小関係に応じて、極性のみが異なる妨害波信号成分が得られるため、制御部５０は、ＦＰＧＡ５５を起動（または再起動）する際に、ディップスイッチ５７の「希望波および妨害波の周波数の大小関係」の設定に応じて、減算処理部として機能させるか、加算処理部として機能させるかを決定し、この設定に基づいてＦＰＧＡ５５内に形成された妨害波除去部６６を使用するので、妨害波成分を除去できるのである。
【００５３】
また、デジタル処理部３４を構成する各フィルタ部６２、６３、６７、ビート成分生成部６４、遅延処理部６５、６８、妨害波除去部６６、および加算処理部６９は、ＦＰＧＡ５５により構成され、ＦＰＧＡ５５は、制御部５０（図２参照）と接続されている。
【００５４】
また、デジタル処理部３４には、１０ｋＨｚ用スイッチ５４ａ（１０ｋＨｚ用ＳＷ）と、２０ｋＨｚ用スイッチ５４ｂ（２０ｋＨｚ用ＳＷ）と、妨害波信号が１０ｋＨｚ用のプログラムが格納されたメモリ５３ａ（本発明でいう記憶手段を形成する記憶媒体）と、妨害波信号が２０ｋＨｚ用のプログラムが格納されたメモリ５３ｂ（本発明でいう記憶手段を形成する記憶媒体）と、を備えている。
【００５５】
各スイッチ５４ａは、制御部５０がＦＰＧＡ５５に対してリブート信号を送る際に、制御部５０（図２参照）に接続されたディップスイッチ５７による設定のうち、「オフセット周波数偏差」の設定に基づいて、制御部５０により操作される。
【００５６】
１０ｋＨｚ用スイッチ５４ａは、１０ｋＨｚ用のプログラムが格納されたメモリ５３ａとＦＰＧＡ５５とを接続する配線に配置され、１０ｋＨｚ用スイッチ５４ａの接点を閉じると、ＦＰＧＡ５５は、メモリ５３ａ内のプログラムを読み出すことができる。
【００５７】
また、２０ｋＨｚ用スイッチ５４ｂは、２０ｋＨｚ用のプログラムが格納されたメモリ５３ｂとＦＰＧＡ５５とを接続する配線に配置され、２０ｋＨｚ用スイッチ５４ｂの接点を閉じると、ＦＰＧＡ５５は、メモリ５３ｂ内のプログラムを読み出すことができる。
【００５８】
ここで、ＦＰＧＡ５５とは、実装した状態で動作特性をプログラム（つまり、回路の変更）可能な大規模集積回路であり、水晶発信部５５ａから動作クロックを受けて動作する。そして、ＦＰＧＡ５５は、制御部５０からのリブート信号により起動（または再起動）し、その直後に、メモリ５３ａおよびメモリ５３ｂのリードイネーブル端子（Ｒ／Ｅ）をハイレベルにして、メモリ５３ａおよびメモリ５３ｂにクロックを供給することにより、メモリ５３ａおよびメモリ５３ｂの何れか一方から、その内部に格納されたプログラムを読み出し、妨害波信号の周波数に応じて、その妨害波を消去できるような回路（ビート成分生成部６４）を作成するように構成されている。
【００５９】
以上のように詳述したオフセットビートキャンセラ２０ａであれば、ビート成分生成部６４内を回路の変更可能なＦＰＧＡ５５にて構成し、各メモリ５３ａ、ｂには、オフセット周波数偏差に応じてＦＰＧＡ５５の回路を変更するための複数のプログラムを格納しているので、オフセット周波数偏差に応じてビート成分生成部６４に適切な回路を形成することができ、このオフセットビートキャンセラ２０ａの出荷時に面倒な設定をする手間を省くことができる。
【００６０】
また、このオフセットビートキャンセラ２０ａを使用する地域を、オフセット周波数偏差が異なる地域に変更する場合であっても、その都度対応することができる。
更に、制御部５０は、ビート成分生成部６４の回路を変更させる際に、複数のメモリ５３ａ、ｂから１つのメモリ５３ａ、ｂを選択し、選択したメモリ５３ａ、ｂに格納されたプログラムをＦＰＧＡ５５に読み出させるようにしているので、ＦＰＧＡ５５が読み出すプログラムをＦＰＧＡ５５に選択させる必要がなくなり、延いては、ＦＰＧＡ５５の構成を簡単にすることができる。
【００６１】
また、制御部５０は、予め設定された希望波および妨害波の周波数の大小関係に応じて、妨害波除去部６６に、妨害波信号成分を含むＩ信号からビート成分生成部６４により生成された妨害波信号成分を減算させるか、加算させるかを選択し、この選択結果に基づいて妨害波除去部６６内の回路を変更させるようにしているので、各メモリ５３ａ、ｂに格納するプログラムの数を半分に減少させることができ、各メモリ５３ａ、ｂの構成を簡単にすることができる。
【００６２】
また、妨害波除去部６６は、ビート成分生成部６４と共に、ＦＰＧＡ５５内にて構成されているので、周囲の環境（気温等）の影響を受け難くすることができ、より正確に妨害波信号成分を除去することができる。
更に、ＵＨＦ選局部３０は、受信アンテナ（ＶＨＦアンテナ２、ＵＨＦアンテナ４、およびＢＳ／ＣＳアンテナ６（図１、図５参照））から入力される受信信号の中から、所定放送チャンネルのテレビ放送信号を選局して、映像中間周波数信号を出力し、直交検波部３２は、ＵＨＦ選局部３０から出力される映像中間周波信号を直交検波しＩ信号およびＱ信号を生成するので、受信アンテナから入力される受信信号の中から、希望の放送チャンネルを選択して妨害波信号成分を除去することができる。
【００６３】
また、ＵＨＦ選局部３０は、映像中間周波信号に加えて、音声中間周波信号を出力し、ＵＨＦ変調部３６は、妨害波除去部６６にて生成された映像中間周波信号と、音声中間周波信号とに基づき、所定放送チャンネルのテレビ放送信号を生成するので、１つのオフセットビートキャンセラ２０ａを用いて、オフセットビートキャンセラ２０ａから出力される、映像中間周波信号および音声中間周波信号を分配器１０（図１、図５参照）により分配することにより、妨害波が除去されたテレビ放送信号を共同受信させることができる。
【００６４】
なお、本実施例（実施例１）では、オフセット周波数偏差の絶対値の数だけメモリ５３ａ、ｂを備えるように構成したが、特にこのように構成する必要はなく、例えば、１つのメモリに、全てのオフセット周波数偏差に対応したプログラムを格納し、制御部５０が、ＦＰＧＡ５５にリブート信号を送信する際に、所望のプログラムが格納されているアドレスの情報を送信し、ＦＰＧＡ５５は、起動（または再起動）する際にメモリに格納された所望のプログラムを読み取るように構成してもよい。
【００６５】
また、制御部５０からの指令により、妨害波除去部６６の回路を変更するように構成したが、制御部５０からの指令によらず、妨害波除去部６６の回路の変更に対応したプログラムを格納したメモリ５３ａ、ｂを更に備えるように構成してもよい。
【００６６】
このようにしても、上述のオフセットビートキャンセラ２０ａと同様の効果が得られる。
〔実施例２〕
次に、本発明が適用された別形態のオフセットビートキャンセラ２０ｂについて説明する。
【００６７】
ここでは、本実施例（実施例２）のオフセットビートキャンセラ２０ｂが実施例１のオフセットビートキャンセラ２０ａと同様の箇所については、同一の符号を付して説明を省略し、異なる箇所のみについて詳述する。
実施例１で詳述したテレビ放送受信システムでは、オフセットビートキャンセラ２０ａをブースタ８と分配器１０の間に配置したが（図１参照）、本実施例（実施例２）のオフセットビートキャンセラ２０ｂは、図５に示すように、直列ユニット１２と受信端末１３との間の受信端末１３の近傍に、オフセットビートキャンセラ２０ｂを配置している。
【００６８】
次に、このオフセットビートキャンセラ２０ｂの構成について、図６を用いて説明する。図６はオフセットビートキャンセラ２０ｂの構成を示す説明図である。
図６に示すように、本実施例のオフセットビートキャンセラ２０ｂでは、使用者が受信端末１３を選局操作するリモコンからの選局信号を検知するリモコン受光部５１と、各種情報が記憶されたＥＥＰＲＯＭ５２（本発明でいう第２記憶手段）とを更に備えている。
【００６９】
また、ディップスイッチ５７は、スイッチの組合せにより、オフセットビートキャンセラ２０ｂを使用する地域を設定するように構成されている。
そして、ＥＥＰＲＯＭ５２には、制御部５０が、ディップスイッチ５７の設定に基づいて、ディップスイッチ５７にて設定可能な各地域に対応したデータを読み出し可能に格納されている。
【００７０】
要するに、ＥＥＰＲＯＭ５２には、オフセットビートキャンセラ２０ｂを使用する地域が何れの地域であっても対応可能にするために、全地域のＵＨＦ選局部３０の選局チャンネルデータを、情報妨害波の周波数の情報と関連付けて格納しているのである。
【００７１】
また、制御部５０は、ディップスイッチ５７の設定に基づいて、ＥＥＰＲＯＭ５２に格納されたデータのうちから読み出すデータを選択し、そのデータに基づいて、ＵＨＦ選局部３０の選局チャンネルを設定する。
更に、ＥＥＰＲＯＭ５２には、このリモコン受光部５１が受信した選局信号が何れのメーカの受信端末１３であっても認識できるように、予め各メーカの選局信号のデータが格納されており、使用者は何れのメーカの受信端末１３であるかを初期設定できるように設定されている。
【００７２】
そして、何れのメーカの受信端末１３であるかの初期設定がなされていると、リモコン受光部５１が受信した選局信号に基づいて、制御部５０は、ＵＨＦ選局部３０およびＵＨＦ変調部３６の制御を行う。
更に、制御部５０は、ＵＨＦ選局部３０に対して選局チャンネル制御信号を送信する際に、選局するチャンネルに対応した妨害波の周波数の情報をＥＥＰＲＯＭ５２から読み出し、デジタル処理部３４に対して、妨害波の周波数の情報を含むリブート制御信号を送る。この結果、デジタル処理部３４内のＦＰＧＡ５５（図４参照）は初期化されることになる。
【００７３】
なお、ＦＰＧＡ５５を初期化する動作については、後に詳述するため、ここでの説明は省略する。
ここで、ＥＥＰＲＯＭ５２に記憶させている、選局するチャンネルに対応した妨害波の周波数の情報とは、前述の基準周波数偏差、オフセット周波数偏差、希望波および妨害波の周波数の大小関係、の３項目を意味している。
【００７４】
従って、本実施例においては、実施例１で説明したように、ディップスイッチ５７により、基準周波数偏差、オフセット周波数偏差、希望波および妨害波の周波数の大小関係の設定は行わない。
次に、制御部５０からのリブート制御信号により、ＦＰＧＡ５５内の回路が作成される際の動作について、図７を用いて説明する。図７は、制御部５０が実行するリブート制御処理を示すフローチャートである。
【００７５】
図７に示すリブート制御処理では、Ｓ１００にて、使用者による、図示しないリモコンの操作等により、ＵＨＦ選局部３０に選局させるチャンネル設定指令があったか否かを判定する。チャンネル設定指令があったと判定すれば、Ｓ１１０に移行し、チャンネル設定指令がなかったと判定すれば、Ｓ１００を繰り返す。
【００７６】
次に、Ｓ１１０では、ＵＨＦ選局部に選局させる選局チャンネルデータと共に、オフセット周波数偏差、および希望波および妨害波の周波数の大小関係のデータをＥＥＰＲＯＭ５２から読み出す。
そして、Ｓ１２０では、Ｓ１１０にて読み出したオフセット周波数偏差を判定する。前述のように、オフセット周波数偏差には２種類（１０ｋＨｚおよび２０ｋＨｚ）あり、オフセット周波数偏差が１０ｋＨｚであればＳ１３０に移行し、オフセット周波数偏差が２０ｋＨｚであれば、Ｓ１３５に移行する。
【００７７】
Ｓ１３０では、デジタル処理部３４内の各スイッチ５４ａ、ｂに駆動信号を送信し、１０ｋＨｚ用スイッチ５４ａをＯＮさせると共に、２０ｋＨｚ用スイッチ５４ｂをＯＦＦさせ、Ｓ１４０に移行する。
一方、Ｓ１３５では、デジタル処理部３４内の各スイッチ５４ａ、ｂに駆動信号を送信し、１０ｋＨｚ用スイッチ５４ａをＯＦＦさせると共に、２０ｋＨｚ用スイッチ５４ｂをＯＮさせ、Ｓ１４０に移行する。
【００７８】
そして、Ｓ１４０では、デジタル処理部３４内のＦＰＧＡ５５に、希望波および妨害波の周波数の大小関係の情報を含むリブート信号を送信して、ＦＰＧＡ５５を再起動させ、リブート制御処理を繰り返す。
このようにして、ＦＰＧＡ５５は、オフセット周波数偏差に対応した的確なプログラム（本実施形態ではメモリ５３ａまたは５３ｂ）を読み出すことができ、適切な回路を形成することができる。
【００７９】
以上のように詳述した実施例２のオフセットビートキャンセラ２０ｂであっても、実施例１のオフセットビートキャンセラ２０ａと同様の効果が得られると共に、同様の変形例が考えられる。
特に、本実施例（実施例２）のオフセットビートキャンセラ２０ｂであれば、制御部５０は、リモコン受光部５１からの選局信号を受けると、第２各メモリ５３ａ、ｂの記憶された希望波の周波数に基づいて、ＵＨＦ選局部３０が選局するテレビ放送信号を選局させ、第２各メモリ５３ａ、ｂに記憶されたオフセット周波数偏差、並びに、希望波および妨害波の周波数の大小関係に基づいて、ＦＰＧＡ５５内の回路を変更させるので、オフセットビートキャンセラ２０ｂに加え、映像信号と音声信号とを再生可能な受信端末１３を備えるのみで、使用者はテレビ放送を視聴することができる。
【００８０】
また、複数のチャンネルのオフセット周波数偏差が異なる場合であっても、使用者のリモコン操作による指令に基づいて、使用者が受信を希望するテレビ放送電波に対して妨害波を除去することができる。
なお、本実施例（実施例２）のオフセットビートキャンセラ２０ｂは、テレビ受像機等の外部に設置するように構成したが、特にこのように構成する必要はなく、テレビ受像機等に内蔵したチューナとして構成してもよいし、テレビ受像機等に載置したチューナとして構成してもよい。
【００８１】
このようにしても、上述のオフセットビートキャンセラ２０ｂと同様の効果が得られる。但し、オフセットビートキャンセラ２０ｂをチューナとして使用する場合には、ＵＨＦ変調部３６により再変調する必要はなく、ＵＨＦ選局部３０により生成される音声ＩＦ信号を変調した音声信号、およびデジタル処理部３４により生成される映像信号をそれぞれ出力するように構成すればよい。
【図面の簡単な説明】
【図１】テレビ放送受信システム全体の構成を示す概略構成図である。
【図２】オフセットビートキャンセラの構成を示す説明図である。
【図３】直交検波部の構成を示す説明図である。
【図４】デジタル処理部の構成を示す説明図である。
【図５】別形態のテレビ放送受信システム全体の構成を示す概略構成図である。
【図６】別形態のオフセットビートキャンセラの構成を示す説明図である。
【図７】ＦＰＧＡのリブート制御処理を示すフローチャートである。
【符号の説明】
２…ＶＨＦアンテナ、４…ＵＨＦアンテナ、６…ＢＳ／ＣＳアンテナ、６ａ…反射鏡、６ｂ…受信部、８…ブースタ、１０…分配器、１２…直列ユニット、１３…受信端末、２０ａ、ｂ…オフセットビートキャンセラ、２２…ローパスフィルタ、２４、２６…ハイパスフィルタ、２８…分配回路、３０…ＵＨＦ選局部、３２…直交検波部、３４…デジタル処理部、３６…ＵＨＦ変調部、３８…バンドパスフィルタ、４０…増幅部、４２…混合回路、４４…増幅回路、４６…ローパスフィルタ、４８…チャンネル設定部、５０…制御部、５１…リモコン受光部、５２…ＥＥＰＲＯＭ、５３ａ、ｂ…メモリ、５４ａ、ｂ…スイッチ、５５…ＦＰＧＡ、５５ａ…水晶発信部、５６…電源部、５７…ディップスイッチ、６０、６１…Ａ／Ｄ変換部、６２、６３、６７…フィルタ部、６４…ビート成分生成部、６５、６８…遅延処理部、６６…妨害波除去部、６９…加算処理部、６９ａ…Ｄ／Ａ変換部、７０…分配回路、７１…増幅回路、７２…分配回路、７３…遅延線、７４…移相器、７５、７６…ミキサ、７７…搬送波再生部、７８…可変移相器、７９…分配回路、８０…位相調整部、８１、８２…ローパスフィルタ、８３、８４…増幅回路。
【図１】
2004363720.tif 000003
【図２】
2004363720.tif 000004
【図３】
2004363720.tif 000005
【図４】
2004363720.tif 000006
【図５】
2004363720.tif 000007
【図６】
2004363720.tif 000008
【図７】
2004363720.tif 000009